(57)【要約】【課題】電子ビーム撮像装置を提供する。【解決手段】  電子ビーム撮像装置は、試料を保持するための、試料ホルダ；前駆電子ビームを生成するための、電子源；当該前駆電子ビームから電子ビームのアレイを生成するための、開口のアレイを含む開口プレート；当該電子ビームのアレイを前記試料に向けるための、電子ビームカラム、を備え、当該電子ビームカラムは、３００ｍｍ未満の長さＬを有するように構成されている。【選択図】図３
2020047589.tif 000002
【特許請求の範囲】
【請求項１】
電子ビーム撮像装置であって、
試料を保持するための、試料ホルダと、
前駆電子ビームを生成するための、電子源と、
前記前駆電子ビームから電子ビームのアレイを生成するための、開口のアレイを含む開口プレートと、
前記電子ビームのアレイを前記試料に向けるための、電子ビームカラムと、を備え、
前記電子ビームカラムが、
前記電子ビームの各々が前記電子源の中間画像を形成する、単一の個別ビーム交差平面と、
前記アレイ内の前記電子ビームが互いに交差する、単一の共通ビーム交差平面と、を備えることにより、３００ｍｍ未満の長さＬを有するように構成されていることを特徴とする、電子ビーム撮像装置。
【請求項２】
Ｌ＜２００ｍｍである、請求項１に記載の装置。
【請求項３】
前記電子ビームカラムが、
前記開口プレートの下流に位置する、補正レンズと、
前記補正レンズと前記試料との間の、対物レンズと、を備える、請求項１または２に記載の装置。
【請求項４】
前記個別ビーム交差平面が、実質的に前記補正レンズ内にあり、かつ／または、
前記共通ビーム交差平面が、実質的に前記対物レンズ内にある、請求項３に記載の装置。
【請求項５】
電子ビーム撮像装置を使用する方法であって、
試料を保持するための、試料ホルダと、
前駆電子ビームを生成するための、電子源と、
前記前駆電子ビームから電子ビームのアレイを生成するための、開口のアレイを含む開口プレートと、
前記電子ビームのアレイを前記試料に向けるための、電子ビームカラムと、を備え、
前記電子ビームカラムを、
前記電子ビームの各々が、前記電子源の中間画像を形成する、単一の個別ビーム交差平面と、
前記アレイ内の前記電子ビームが互いに交差する、単一の共通ビーム交差平面と、を提供することにより、３００ｍｍ未満の長さＬを有するように構成することを特徴とする、方法。
【発明の詳細な説明】
【技術分野】
【０００１】
本発明は、
−試料を保持するための、試料ホルダと、
−前駆電子ビームを生成するための、電子源と、
−当該前駆電子ビームから電子ビームのアレイを生成するための、開口のアレイを含む開口プレートと、
−当該電子ビームのアレイを当該試料に向けるための、電子ビームカラムと、を備える、電子ビーム撮像装置に関する。
【０００２】
本発明はまた、そのような撮像装置を使用する方法に関する。
【背景技術】
【０００３】
電子ビーム撮像装置の実施例には、電子顕微鏡（ＥＭ）および電子ビームリソグラフィ撮像システム（とりわけ、フォトレジストコーティングされた半導体基板に集積回路パターンを書き込むために使用される）が含まれる。電子顕微鏡は、微小物体を撮像するための、ますます重要になっている周知の技術である。これまで、基本的な種類の電子顕微鏡は、透過電子顕微鏡（ＴＥＭ）、走査電子顕微鏡（ＳＥＭ）、および走査透過電子顕微鏡（ＳＴＥＭ）のような、いくつかの周知の装置類へと進化をたどり、また、例えばイオンビームミリングまたはイオンビーム誘導蒸着（ＩＢＩＤ）のような支援作用を可能にする「機械加工」集束イオンビーム（ＦＩＢ）をさらに採用した、いわゆる「デュアルビーム」装置（例えば、ＦＩＢ−ＳＥＭ）のような様々な補助装置類へと進化してきている。より具体的には、
−ＳＥＭにおいて、走査電子ビームによる試料の照射は、例えば、二次電子、後方散乱電子、Ｘ線およびカソードルミネセンス（赤外線、可視および／または紫外線光子）の形態で試料からの「補助」放射線の放出を引き起こし、次に、この放出される放射線の１つ以上の成分は、検出されて、画像蓄積の目的で使用される。
−ＴＥＭにおいては、試料を照射するために使用される電子ビームは、（この目的のために、概して、ＳＥＭ試料の場合よりも薄くなる）試料を貫通するために十分に高いエネルギーを有するものとして選択され、次に、試料から放出される透過電子を使用して、画像を作り出すことができる。このようなＴＥＭが走査モードで動作される（したがってＳＴＥＭになる）と、照射される電子ビームの走査運動中に当該画像が蓄積される。
−ＳＥＭはまた、例えば、比較的薄い試料および比較的高い入射ビームエネルギーを使用する場合に、「透過モード」で使用することもできる。そのようなツールは、しばしば「ＴＳＥＭ」（透過型ＳＥＭ）と呼ばれ、それは、通常、試料と試料後検出器との間に配置された比較的初歩的な撮像システム（例えば、単一レンズおよび偏向器）を有する。
【０００４】
撮像、（局所化）表面改質（例えば、ミリング、エッチング、蒸着等）の実行、および分光の実施に加えて、電子顕微鏡はまた、ディフラクトグラムの試験、イオンチャネリング／イオン後方散乱（ラザフォード後方散乱分光）の調査等のような、他の機能を有し得ることも留意すべきである。電子顕微鏡では、試料に衝突するビームは、しばしば「プローブ」と呼ばれることに留意されたい。
【０００５】
リソグラフィ撮像システム（例えば、ウェハステッパ／ウェハスキャナ）において、放射線の化学線ビームは、基板（例えば、半導体ウェハ）の表面上に提供された（例えば、スピンコートされた）材料（フォトレジスト）のエネルギー感応性層をパターン化するために使用される。従来、化学線は、マスク／レチクルおよびそのパターンを通過してエネルギー感応性層上に達する（例えば、水銀灯またはレーザからの）広い光子ビームを含んでいた。しかしながら、他の種類のリソグラフィ撮像システムは、所望のパターンにしたがってエネルギー感応性層上にわたって１つ以上の電子ビームをトレースする、いわゆる「直接書き込み」電子ビームツールなどの荷電粒子を利用している。
【０００６】
すべての場合において、電子ビーム撮像装置は、少なくとも以下の構成要素を備える。
−例えば、電界放出銃（ＦＥＧ；ショットキーまたはコールドＦＥＧ）またはＬａＢ６熱源を備える、電子源。
−電子源からの「未処理の」放射線ビームを操作し、集束、収差の軽減、（絞りを使用した）クロッピング、フィルタリングなどのような特定の操作を実行するのに役立つ、照明器（電子ビームカラム、電子光学カラム）。照明器は、一般的に、１つ以上の（荷電粒子）レンズを備えることになり、他のタイプの（粒子）光学部品も備え得る。所望される場合、照明器には、偏向器システムを設けることができ、偏向器システムは、調査中の試料にわたってその出射ビームに走査運動を実行させるために援用することができる。
−調査中の試料をその上に保持して位置決め（例えば、傾斜、回転）することができる試料ホルダ。所望される場合、ビームに関して試料の走査運動をもたらすようにこのホルダを移動することができる。一般に、このような試料ホルダは、位置決めシステムに接続される。極低温試料を保持するように設計される場合、試料ホルダは、例えば適切に接続される極低温槽を使用して、当該試料を極低温に維持するための手段を備えることができる。
【０００７】
例えば、（Ｓ）ＴＥＭまたはＴＳＥＭのような透過型装置は、以下をさらに備える。
−試料（平面）［またはリソグラフィにおけるマスク平面］を透過した電子を本質的に捉え、検出／撮像デバイス、分光装置、レジストコーティングされた基板［リソグラフィにおける］などのターゲット上に向ける（集束させる）、撮像システム。上述した照明器の場合と同様に、撮像システムはまた、収差の軽減、クロッピング、フィルタリングなどの他の機能を実行することもでき、それは、一般的に、１つ以上の荷電粒子レンズおよび／または他の種類の電子光学部品を備える。
【０００８】
従来の電子ビーム撮像装置は、単一の撮像ビームを利用してきた。しかしながら、近年、マルチビーム装置の設計が現れ始めており、電子源からの前駆ビームは、当該前駆ビームのフットプリント内に多孔プレートを配置することによりサブビームのアレイに変換され、その開口が（相補電極と組み合わせて使用される場合）レンズ効果を持つので、そのような開口プレートは開口レンズアレイ（ＡＬＡ）とも呼ぶことができる。マルチビーム電子顕微鏡は、例えば、本発明者のうちの１人の博士論文：Ａｌｉ  Ｍｏｈａｍｍａｄｉ−Ｇｈｅｉｄａｒｉによる「１９６  Ｂｅａｍｓ  ｉｎ  ａ  Ｓｃａｎｎｉｎｇ  Ｅｌｅｃｔｒｏｎ  Ｍｉｃｒｏｓｃｏｐｅ」，ＴＵ  Ｄｅｌｆｔ、オランダ、２０１３年１１月（参照により本明細書に組み込まれる）に記載されている。
ｈｔｔｐｓ：／／ｒｅｐｏｓｉｔｏｒｙ．ｔｕｄｅｌｆｔ．ｎｌ／ｉｓｌａｎｄｏｒａ／ｏｂｊｅｃｔ／ｕｕｉｄ：９８８６９１７３−１２ｄｂ−４９ｃｆ−９４６６−０３４１ｃｆ６ａｄ８４５？ｃｏｌｌｅｃｔｉｏｎ＝ｒｅｓｅａｒｃｈ
さらに、マルチ電子ビームリソグラフィ撮像システムは、例えば、オランダのデルフトにあるＭａｐｐｅｒ  Ｌｉｔｈｏｇｒａｐｈｙ  Ｂ．Ｖ．社によって開発されて販売されている。単一のビームとは対照的に、複数の一次ビームを同時に使用することの背後にある基本的な考え方は、ビームのアレイの使用が「パラレル撮像」を可能にするため、スループットの大幅な向上を約束することである。しかしながら、複数の撮像ビーム（ビームレット；サブビーム；成分ビーム）の同時使用もまた、満足に対処される必要がある様々な技術的問題および課題を提示する。このような問題が発生する１つの領域は、特に比較的高い画像輝度が必要な場合の撮像／パターニングの品質である。
【発明の概要】
【０００９】
本発明の目的は、改良されたマルチ電子ビーム撮像装置を提供することである。より具体的には、本発明の目的は、特に比較的高いビーム電流において、そのような撮像装置が既存のマルチ電子ビーム設計よりも満足のいく撮像性能を可能にすることである。
【００１０】
これらおよび他の目的は、当該電子ビームカラムが、請求項１で定義される特徴を備えることにより、３００ｍｍ未満の長さＬを有するように構成されていることを特徴とする、先の冒頭段落に記載の撮像装置で達成される。ここで、カラム長Ｌは、電子源と試料との間の距離として定義される。
【００１１】
本発明につながる／根底にある様々な洞察は、次のように解明することができる。
−（例えば、光子撮像とは対照的に）電子ビーム撮像装置の基本的な問題は、ビーム電子がクーロン相互作用を介して互いに影響を与える可能性があることである。このような相互作用により、電子の軌跡がわずかに変化し、光軸に対するその位置が元の値／公称値から逸脱する可能性がある。このような多くの相互作用の累積効果は、（統計的な）「ビーム広がり」現象であり、これにより、例えば、所定の平面（例えば、試料平面または検出器平面）上でビームの名目上の丸いフットプリントが膨張し、逸脱した電子の周辺の「ハロー」を獲得する。これにより画像のぼやけが発生するが、（同じ数の電子がより大きなフットプリントに広がるため）画像の強度も低下する。所定の必要な解像度に対して、このクーロンビーム拡散は、ビームで許容できる最大ビーム電流に基本的な制限を設定し、それに応じて単一ビーム撮像装置で達成できるスループットに基本的な制限を設定する。
−マルチビーム電子撮像装置は、スループットを向上させることを目的としている。マルチビーム装置の使用の根底にある共通仮定は、所与のサブビーム内の電子は、それ自体のサブビーム内の他の電子とのクーロン相互作用のみを（または主に）経験し、これらのサブビームが互いに交差しない限り、他のサブビーム内の電子とのクーロン相互作用は経験しない（またはほとんど経験しない）。この仮定に基づいて、これらのサブビームに交差がない（またはほとんどない）場合（つまり、ビームが互いに交差する場所）、サブビームの数を適切に増加することにより、カラムの総電流を本質的に任意に増加することが期待できる。
−本発明者らは、このようなクーロン相互作用を広範囲に調査した。電子ビームカラムの設計におけるビーム交差は、このようなクーロン相互作用の「繁殖地」であるという仮定に基づいて、そのような交差の数が低下するか、大幅に排除されるカラム設計のテストを開始し、驚くべきことに、本発明者らは、上述のぼやけ／ビーム拡散問題の大きさはそのような設計では減少したが、それでもかなりの程度まで存在することを発見した。さらに広範な分析により、異なるサブビームの電子間の相互作用が以前に想定されていたよりも大きいことが予想外に明らかになった。これは、次の（非相対論的）実施例を使用して明確にすることができる。Ｖ＝１０ｋＶのビーム電位で、Ｉ＝１ｎＡのビーム電流を運ぶサブビームを考える。このサブビームの電子間の平均長手方向（Ｚ）距離は、ｖｚ＝√（２ｅＶ／ｍ）＝６×１０７ｍ／ｓを使用して、ｄｚ＝ｅｖｚ／Ｉ＝１０ｍｍである（ここで、ｅは素電荷、ｖｚは電子速度、ｍは電子質量である）。これは、サブビーム間の典型的な横方向の間隔よりもはるかに大きく、約１０〜５００μｍの範囲にあることを示している。したがって、与えられた電子の最近傍が同じサブビームとは反対の異なるサブビームにある可能性がはるかに高くなる。したがって、すべてのサブビーム内のすべての電子間でクーロン相互作用が発生し、個別サブビームが互いに交差するか、カラムを別々に移動するかには比較的にそれほど依存しない。
−本発明にとって重要なことには、本発明者らは、達成可能な画像解像度に影響を与える重要な要因が電子ビームカラムの長さＬであることを発見し、実際、本発明者らは次のことを発見した。
・電子−電子相互作用の効果は、約Ｌ２に応じて、近似値に比例された。これは、次のことに基づいて大まかに説明できる。
□カラムが長いほど、相互作用が発生する時間が直線的に長くなり、
□カラムが長いほど、このような相互作用の効果を活用するために「アーム」が直線的に長くなる。
【００１２】
これらの２つの線形効果が組み合わされて、Ｌに対する当該２次依存性が生じる。
・Ｌの値を短くすると、倍率値が小さくなり、これにより、開口プレート／ＡＬＡは、より小さなピッチでより大きな開口を持つことができ、透過率が向上し、このような開口プレート／ＡＬＡは、開口が小さいものに比べて製造が比較的容易である。関連して、Ｌの値を短くすると、開口プレート／ＡＬＡでのビーム開口角が小さくなり、余分な（介在する）ビームを画定する開口のないカラム設計では、これにより同時に試料レベルでのビーム開口角が小さくなり、さらに、一般に収差が低下する。別の説明をすると、
□電子源から試料までの（空間）倍率は、おおよそＬに比例する。
□電子源から試料までの角倍率は、（空間）倍率に反比例し、したがって、光源の開口角が固定されている場合、Ｌを大きくすると、試料に衝突する「プローブ」の開口角が大きくなり、それに対応してプローブ形成光学系の収差が大きくなる。
□これらの収差は、ビーム径を制限することで（例えば、開口プレート／ＡＬＡ内により小さな開口を使用することで）低下できるが、これによりプローブ電流が関連して低下するため、これは望ましくなく、また、開口プレート／ＡＬＡの製造可能性も低下する。
【００１３】
したがって、短縮されたカラムを開発するための措置が講じられ、Ｌの値が約３００ｍｍ未満の場合、前述のぼやけ／ビーム拡散の問題は許容範囲内に収まる。この発明の解決策は、クーロン相互作用問題を制御するために、ビーム電流の低下（それと比例してスループットを低下させる）をそれ自体が必要としないという点でとりわけ有利である。
【００１４】
この方法でカラムの長さＬを縮小することは、多少直感に反することに留意すべきである。これは、典型的なカラムには、厳しい公差内で配置および整列する必要がある比較的かさばる粒子光学部品が多数含まれるためであり、これは伝統的に比較的長い／広々としたカラムの設計をもたらしてきた。したがって、非常にタイトな／よりコンパクトな構成を優先してそのような広々とした設計を放棄することは、概して望ましくないと見なされる。参考までに、上述の博士論文で説明されているマルチビームＳＥＭのカラム長は約５００ｍｍであり、本発明が提示する上限よりも６６％大きいことに留意すべきである。
【００１５】
本発明の好ましい実施形態では、カラム長ＬはＬ＜２００ｍｍを満たす。本発明者らは、試料レベルでの「クーロンぼかし」ＢＣ（逆解像度）が、式に従って比例することを見出した。
ＢＣ〜Ｉ  Ｌ２／Ｖ４／３
ここで、Ｉは（累積）ビーム電流、Ｖはビーム電位（加速電圧）、Ｌはカラム長である。したがって、Ｌが低下すると、Ｉを増加させることができ（同等の解像度の場合）、または、さらに解像度を強化できる（所与のＩの値の場合）。通常、２００〜３００ｍｍの範囲のＬ値で良好な結果が得られたが、２００ｍｍ未満のＬ値の方がより満足な結果が得られることがわかった。
【００１６】
本明細書で定義されるように、電子ビームカラムは、
−当該電子ビームの各々が前記電子源の中間画像を形成する、単一の個別ビーム交差平面と、
−アレイ内の電子ビームが互いに交差する（または、別の言い方をすれば、電子ビームカラムの光軸と交差する）、単一の共通ビーム交差平面と、を備えることにより、３００ｍｍ未満の長さＬを有するように構成されている。
【００１７】
従来の電子ビームカラムは、単一ビーム装置と例えば上述の博士論文に記載されているマルチビームＳＥＭの両方において、それらの設計にいくつかのビーム交差を有する傾向にある。対物レンズに加えて、そのような構成は、例えば、集光レンズ、カラムの中心にある可変視野絞り（これにより、ビーム電流、およびしたがって画像輝度を便利に調整できる）、追加の拡大レンズなどのような、対物の上流の様々な他の光学要素を利用したい場合がある。このような光学要素を組み込むと、必然的に関連するビーム交差（個別および／または共通）が発生する。すでに上で述べたように、そのような交差はクーロン相互作用を悪化させる傾向があるため、本発明者らは交差の数／タイプを実用的な最小値に制限する「スパルタン」カラム設計を開発した。さらに、このスパルタン設計により、比較的短いカラムを簡単に実現できた。単一の個別ビーム交差平面と単一の共通ビーム交差平面は平行な平面であり、これらの平面が一致しないことを意味することに留意されたい。言い換えれば、単一の共通ビーム交差平面は、単一の個別ビーム交差平面に平行である。
【００１８】
一実施形態では、個別電子ビームは、単一の共通ビーム交差平面内で互いに交差する間、集束されていない。これにより、様々なサブビーム内の電子間のクーロン相互作用が低下する。
【００１９】
本発明の特定の実施形態では、電子ビームカラムは、
−開口プレートの下流に配置された補正レンズ、
−当該補正レンズと試料との間の対物レンズ、を備える。
【００２０】
本明細書に記載される複合（複合／混合）補正レンズは、例えば以下を含むことができる。
・開口プレート／ＡＬＡが動作する比較的低い電位（通常約１〜２ｋＶ）からメインカラムが動作する比較的高い電位（通常約１０〜２０ｋＶ）に電子を加速するための、加速ステージ。開口プレート／ＡＬＡに比較的低い電位が好ましいのは、その構築が容易になるためであり、一方、メイン／下部カラムに比較的高い電位が好ましいのは、より高い電位ではクーロン相互作用の影響が少ないため、また、より高い電位では電子の短波長化および色彩のぼやけの低下により「プローブ」の分解能が向上するためである。加速器ステージは、例えば、電子が段階的に加速されるカスケード静電界構成を提供する加速器電極のペアの一連の「トレイン」を含むことができる。
・サブビームをコリメート／集束するためのコリメータレンズ。このコリメータレンズは、電子源の（中間）画像の平面がこのレンズの中心にある／近くになるように理想的に配置され、（例えば、軸外色収差による）これらの中間画像のピンぼけ／ぼやけを回避する。さらに、このレンズは概して、開口アレイ／ＡＬＡを出るサブビームの発散アレイがコリメータレンズにおいて、球面収差効果がサブビームのパターンを大幅に歪ませるのに十分に大きくなることを防ぐために、開口アレイ／ＡＬＡに比較的近い位置（例えば約３０ｍｍ以内）に配置される。
【００２１】
前述の博士論文は、次のように構成された４つの電極を含む特定の補正レンズについて説明していることに留意されたい。
−最初の３つの電極は、主にコリメートする（加速もする）。
−第４の電極は主に加速する（コリメートもする）。
【００２２】
指定された対物レンズは、電子源の（中間）画像のアレイを有する平面を（試料上で）撮像および縮小するのに役立つ。収差を最小限に抑えるために、上述のコリメータレンズは、すべてのサブビームが対物レンズのいわゆる「コマフリー」ポイントを通過するように理想的に調整される。レンズのコマフリーポイントは通常、レンズの中心に近く、当業者に知られているように、傾斜ビームがこのコマフリーポイントを通過するとき、レンズは、傾斜ビーム（当該サブビームなど）をコマ収差で悩まさない。
【００２３】
前の段落の説明を参照すると、例えば、
−当該個別ビームの交差平面は、当該補正レンズ内／その近くに位置し、
−当該共通ビームの交差平面は、当該対物レンズ内／その近くに位置する、カラム設計を使用することができる。
例えば、図３を参照されたい。
【００２４】
本発明は、走査アセンブリを使用して行われる、ビームアレイと試料の相対的（横方向）走査運動中に画像が蓄積される走査型撮像装置での使用に適している。このような相対的な走査運動は、様々な方法で実現できる。例えば、以下のとおりである：
（ｉ）１つの可能な（「機械的走査」）設定では、使用される走査アセンブリは、試料ホルダの走査運動を生成するためのアクチュエータシステムを備えている。
（ｉｉ）代替の（「ビーム走査」）設定では、使用される走査アセンブリは、試料に対してビームアレイを偏向させるビーム偏向器システムを備えている。例えば、マルチビームＳＴＥＭの場合：
−試料の上流にある第１のビーム偏向器システムを呼び出して、試料に対するビームアレイの走査運動を生成できる。
−試料の下流および撮像検出器の上流にある第２のビーム偏向器システムを使用して、当該第１のビーム偏向器システムによって生成される走査運動を無効にすることができる（いわゆる「走査解除（ｄｅ−ｓｃａｎ）」）。
【００２５】
アプローチ（ｉ）は、アプローチ（ｉｉ）よりも複雑性／複合性が少ない傾向にあるという点で有利であり、走査経路を正確に移動できる試料ホルダステージを使用する必要はあるものの、例えばリソグラフィで洗練された走査ステージが既に使用されており、多くの異なる実装で利用可能であるため、これは技術的なハードルを提示する必要はない。ビーム走査は、単一ビームＥＭ（ＳＥＭおよびＳＴＥＭなど）で使用されるより伝統的なアプローチであるが、本発明では複数ビームへの変更が必要になる。言うまでもなく、必要に応じて、両方のタイプの走査を使用するアプローチ（ｉ）と（ｉｉ）のハイブリッドを選択することもできる。
【００２６】
本発明で使用されるビームアレイ（における成分ビームの数）の基数に関して、これは任意であることが強調されるべきである。一方では、ビーム数が多いほど、達成できるスループットの向上が大きくなる。他方、ビームの数が増加すると、システム全体の複雑さが増し、さらに、上で説明したように、異なるビームの電子は互いに相互作用するため、ビームの数が増加するとクーロンぼやけも増加させる傾向にある。当業者は、これらの競合する効果間の妥協点を見出し、所与のシナリオ／使用事例に適切な数を選択することができるであろう。例えば、１４×１４アレイの１９６本のビームを使用してシステムを構築することができるが、ただし、多くの他のビームの複数性／構成も可能である。
【００２７】
本発明は、ここで、例示的な実施形態および添付の概略図に基づいてより詳細に説明される。
【図面の簡単な説明】
【００２８】
【図１】本発明が実装される荷電粒子撮像装置（この場合、電子顕微鏡）の実施形態の縦断面正面図を描写している。
【図２】単一の前駆ビームから電子ビームアレイを生成する方法を示す。
【図３】本発明の一実施形態による特定の電子ビームカラムを示す。
【発明を実施するための形態】
【００２９】
図面において、適切な場合、対応する部分は、対応する参照符号を使用して示される。
【００３０】
実施形態１
図１（縮尺どおりではない）は、本発明が利用される電子ビーム撮像装置の実施形態の非常に概略的な図であり、より具体的には、ＳＥＭの一実施形態を示しているが、本発明の文脈では、例えば、ＳＴＥＭまたはリソグラフィ撮像システムとすることもできる。撮像装置（顕微鏡）１は、（とりわけ）以下を含む。
−粒子光軸Ｂ’に沿って伝搬する電子ビームＢを生成する電子源３（例えば、ショットキーエミッタ、コールドＦＥＧ、またはＬａＢ６フィラメントなど）。
−電子ビームＢを誘導／集束するための様々なレンズ１１、１３、およびビームＢのビーム偏向／走査を実行する偏向ユニット１５を備える電子ビームカラム５。カラム５は収差補正器、視野絞りなども備え得る。
−試料Ｓを保持／位置決めするための試料ホルダ１７および関連するステージ／アクチュエータ１９を備える、真空チャンバ７。真空チャンバ７（およびカラム５／電子源３も）は、真空ポンプ（図示せず）を使用して排気される。電圧源２１を用いて、試料ホルダ１７、または少なくとも試料Ｓは、必要に応じて、グラウンドに対して所定電位にバイアス（浮遊）され得る。
【００３１】
試料Ｓ上で電子ビームＢを走査することによって、例えば、Ｘ線、赤外／可視／紫外光、二次電子および／または後方散乱電子を含む出射放射線が試料Ｓから発せられる。検出器２３、２７は、そのような出射放射線の異なる種類／様式を検査するために使用することができる様々な可能な検出器の種類から選択することができる。ここに描かれた装置では、以下の検出器の選択がなされた：
−検出器２３は、（光軸Ｂ’を包含する）中央開口部２５の周りに配置された複数の独立した検出セグメント（例えば、四分円）を含む、セグメント化電子検出器である。そのような検出器は、例えば、試料Ｓから発せられる（二次／後方散乱）電子の角度依存性を調査するために使用することができる。
−検出器２７は、例えば、試料Ｓから発せられるＸ線を記録し、したがって、エネルギー分散型Ｘ線分光法（ＥＤＸ）を実行するために使用することができるＸ線検出器である。それは、代替的に例えば陰極線ルミネセンス検出器とすることができる。
【００３２】
代替的に／補足的に、例えば同時係属の欧州特許出願第ＥＰ１８１７６５９６．７号に記載されているような後方散乱電子検出器を使用することができる。検出された出射放射線は、（当該走査運動のために）位置依存的であるため、検出器２３、２７から得られた情報もまた、位置依存的であり、したがって、試料Ｓ上の走査経路位置の関数としての基本的に検出器出力のマップである画像を組み立てるために使用することができる。検出器２３、２７からの信号は、制御線（バス）２９’を通り、制御装置２９によって処理され、表示ユニット３１に表示される。そのような処理は、結合、積分、減算、偽色付け、エッジ強調、および当業者に知られている他の処理などの操作を含み得る。さらに、（例えば、粒子分析に使用されるような）自動認識プロセスが、そのような処理に含まれてもよい。
【００３３】
そのような「基本的な」設定の様々な改良および代替は、当業者に知られており、以下を含むが、それらに限定されるものではない：
−デュアル一次ビーム種の使用、例えば試料Ｓの撮像のための電子ビームおよび機械加工（または、場合によっては撮像）のためのイオンビーム。
−例えば、数ミリバールの圧力を維持すること（いわゆる環境ＳＥＭにおいて使用されるように）、またはエッチングもしくは前駆ガスなどのガスを入れることによる、試料Ｓにおける制御された環境の使用。
【００３４】
本発明にとって重要なことは、従来のＳＥＭにおいて使用されるような単一の一次電子ビームがここではマルチビームアレイによって置き換えられているという事実である。図２は、図１に対する比較的小さな修正を用いて、そのようなマルチビームアレイをどのように生成することができるかを示している。前駆（同期前駆、初期）電子ビームＢｏは、電子源３を出て、一連の電極３’を横断し、複数の開口９’を含む開口プレート／ＡＬＡ９に衝突し、このような構造９は、例えば、薄膜（ＭＥＭＳ）技術を使用してシリコンシートに小孔のアレイをエッチングすることによって製造することができる（例えば、前述した博士論文を参照）。開口プレート／ＡＬＡ９は、電子ビームカラム５内に配置され、典型的には、例えば、その下流で約５〜１０ｍｍ程度の間隔で、電子源３の比較的近くに配置される。ＡＬＡ９に衝突する結果として、前駆ビームＢｏは、それらを生成するために使用された複数の開口９’’と同じ幾何学的構成で、複数／アレイＢのサブビーム／ビームレット／成分ビームＢ’’に変換される。次に、このビームアレイＢは、それを試料Ｓ上に向けるカラム５を通って軸Ｂ’に沿ってその進路をたどる（図１を参照）。さらにより詳細には：
−開口プレート／ＡＬＡは、それぞれ直径が約１０μｍで、ピッチ／間隔が約２０μｍの１４×１４個の開口９’のアレイを備える。
−電極３’は、各開口９’に電位変動を生じさせ、各開口９’が静電ミニレンズとして機能するようにする。このようにして、様々なサブビームＢ’’は、開口プレート／ＡＬＡ９の下流の電子源３の（中間）画像のアレイに集束される。
−原則として、このレンズ効果を生成するために、開口プレート／ＡＬＡ９と連携して動作するために必要なのは１つの電極３’のみであるが、ただし、複数の電極３’を使用すると、「微調整」に関してより多くの可能性が得られる。
−電子源３と開口プレート／ＡＬＡ９の様々な開口９’（静電ミニレンズ）との間の距離は、光学／カラム軸Ｂ’からの距離が増加するとわずかに増加する。すべての開口／ミニレンズ９’の焦点強度が同じ場合、これにより電子源３の（中間）画像の画像距離に変動が生じ、これらの画像が光学／カラム軸Ｂ’に垂直な１つの共通平面内に存在しなくなり、代わりに曲面（本質的に球体の一部）上に存在することになる。（中間）電子源画像を有するこの平面のこのような湾曲を防ぐために、その電界が主に外側ミニレンズの焦点強度に影響を与えるような寸法の補正電極を使用することができる。この補正電極の電位を適切に調整することにより、前述の湾曲を緩和／除去することができる。このような補正電極は、例えば、Ｙ．ＺｈａｎｇおよびＰ．Ｋｒｕｉｔによるジャーナル記事「Ｄｅｓｉｇｎ  ｏｆ  ａ  ｈｉｇｈ  ｂｒｉｇｈｔｎｅｓｓ  ｍｕｌｔｉ−ｅｌｅｃｔｒｏｎ−ｂｅａｍ  ｓｏｕｒｃｅ」，Ｐｒｏｃ．Ｓｅｖｅｎｔｈ  Ｉｎｔ．Ｃｏｎｆ．ｏｎ  Ｃｈａｒｇｅｄ  Ｐａｒｔｉｃｌｅ  Ｏｐｔｉｃｓ，Ｐｈｙｓｉｃｓ  Ｐｒｏｃｅｄｉａ  １（２００８），ｐｐ．５５３−５６３，ＥＬＳＥＶＩＥＲ  ｐｕｂ．（参照により本明細書に組み込まれる）に記載されているように、図示された電極群３’に含むことができる。あるいは、このタイプの補正電極は、例えば米国特許第ＵＳ８５９８５４５号（参照により本明細書に組み込まれる）に記載されているように、ＡＬＡ９の下流に配置することができる。
【００３５】
本発明の特定の文脈において、電子源３の電子放出構造（先端）と試料Ｓの（上部）表面との間のカラム５の長さＬは、従来技術のマルチビーム撮像システムに比べて短縮され、値Ｌ＜３００ｍｍ、好ましくはＬ＜２００ｍｍを有する。
【００３６】
実施形態２
図３は、本発明の一実施形態による特定の電子ビームカラムを示している。ここで：
−レンズ１１は上述の（複合）補正レンズである。レンズ（の平面）内の個別ビーム交差（中間電子源画像）に留意されたい。
−レンズ１３は上述の対物レンズである。レンズ（の平面）内の共通ビーム交差に留意されたい。ここでは、個別ビームは互いに交差しながら集束されていない。
【００３７】
個別ビーム交差（中間電子源画像）も試料Ｓの表面上に存在するが、他の交差は存在しない（特にレンズ１１と１３との間）。図面を不必要に混雑させないために、走査コイル１５はこの図から省略されている。
【図１】
2020047589.tif 000003
【図２】
2020047589.tif 000004
【図３】
2020047589.tif 000005
【外国語明細書】
2020047589000001.pdf